(57)【要約】【課題】  発明内容の届け出に伴う作業を開発者にとってできるだけ容易なものとし、明細書作成の担当者における明細書作成時の負担も軽減する。【解決手段】  従来図と発明図とを対比させた図面を描くべき図面用領域と、その図面用領域に近接させ、発明内容を把握するための必須要素を記載すべき文字記入用領域とを備え、文字記入用領域には、縦横に隣接配置された複数の項目欄と、その項目欄の各々に対応させて必須項目のタイトルを印字されたタイトル印字部とを備える。複数のタイトル印字のうち、紙送り方向の下端部に寄って配置された項目欄に対応したタイトル印字部は、当該発明の誕生に伴って把握される新たな課題を記載すべきタイトルとした。また、複数の項目欄は、二行二列に配置するとともに、各項目欄の大きさを異ならせた。【選択図】  図１
2005280268.tif 000002
【特許請求の範囲】
【請求項１】
従来図と発明図とを対比させた図面を描くべき図面用領域と、その図面用領域に近接させ、発明内容を把握するための必須要素を記載すべき文字記入用領域とを備えた発明用印刷物であって、
前記文字記入用領域には、縦横に隣接配置された複数の項目欄と、
その項目欄の各々に対応させて必須項目のタイトルを印字されたタイトル印字部とを備え、
前記複数のタイトル印字のうち、紙送り方向の下端部に寄って配置された項目欄に対応したタイトル印字部は、当該発明の誕生に伴って把握される新たな課題を記載すべきタイトルとしたことを特徴とする発明用印刷物。
【請求項２】
前記複数の項目欄は、二行二列に配置するとともに、各項目欄の大きさを異ならせたことを特徴とする請求項１に記載の発明用印刷物。
【請求項３】
印刷可能領域の端部付近のいずれかには、発明の名称、発明者および年月日が記載された管理領域が配置された請求項１または請求項２に記載の発明用印刷物。
【請求項４】
発明を案出する前提である現状の問題点を記載するためのスタート欄と、
そのスタート欄に近接して配置され、発明の目的を記載するためのゴール欄と、
前記スタート欄に隣接して配置され、発明を実現する上での各種の制限事項をチェックリスト方式で例示記載された制限事項欄と、
前記制限事項欄に隣接して配置され、前記スタート欄に記載される問題点を克服する技術的手段の創出に係る経過を発明関係者が記載するための発明経過欄
とを備えたことを特徴とする発明用印刷物。
【請求項５】
発明を案出するための発明アシストページと、案出された発明のポイントを記載するための発明記載ページとを見開きで一覧可能な印刷物であって、
発明アシストページは、発明を案出する前提である現状の問題点を記載するためのスタート欄と、そのスタート欄に近接して配置され、発明の目的を記載するためのゴール欄と、前記スタート欄に隣接して配置され、発明を実現する上での各種の制限事項をチェックリスト方式で例示記載された制限事項欄と、前記制限事項欄に隣接して配置され、前記スタート欄に記載される問題点を克服する技術的手段の創出に係る経過を発明関係者が記載するための発明経過欄とを同一紙面上に備え、
発明記載ページは、従来図と発明図とを対比させた図面を描くべき図面用領域と、その図面用領域に近接させ、発明内容を把握するための必須要素を記載すべき文字記入用領域とを備え、前記文字記入用領域には、二行二列に隣接配置された複数の項目欄と、その項目欄の各々に対応させて必須項目のタイトルを印字されたタイトル印字部とを備え、前記複数のタイトル印字のうち、紙送り方向の下端部に寄って配置された項目欄に対応したタイトル印字部は、当該発明の誕生に伴って把握される新たな課題を記載すべきタイトルとした発明用印刷物。
【発明の詳細な説明】
【技術分野】
【０００１】
本発明は発明作業および発明完成後の届け出作業を補助する印刷物に関する。具体的には、特に、開発者や明細書作成者が発明を纏める作業を作成する上での負担を軽減する技術に関する。
【背景技術】
【０００２】
特許出願は、述べるまでもなく特許庁へ提出するための書類である特許明細書が必要である。開発が本業である開発者（技術者、発明者）にとって、最終的に出願するための明細書作成は本業ではないため、特許明細書作成の専門家（代表的には弁理士の事務所）へその作成を依頼することが多い。
また、企業によっては開発者と当該企業外の弁理士との間に知財部門が設置され、知財部門の知財担当者が当該企業内の開発者と外部の弁理士とのパイプ役を果たしている場合もある。
【０００３】
いずれにしても、明細書作成までの概略的な流れとしては、企業において新たな技術や製品などを開発している開発者が、明細書作成者または知財担当者に対して、発明の特徴点などを伝える作業が必要となる。すなわち、開発者から知財担当者へ、そしてその知財担当者から明細書作成者へという間接的なパターンと、開発者から直接、明細書作成者へと伝達する直接的なパターンとがある。
【０００４】
現在、それぞれのパターンにおいて開発者からの発明内容の伝達手段として普及しているのは、発明に係る構成、効果および図面などのフォーマットが印刷されたいわゆる「発明ノート」などが用いられていることが多い。
また、特許文献１に記載されているような特許明細書支援装置を用いられる場合もある。
【特許文献１】２００１−３０６７５４号公報
【発明の開示】
【発明が解決しようとする課題】
【０００５】
しかしながら、前述した開発者からの発明内容の伝達手段としては、次のような問題点があった。まず、特許明細書支援装置を用いた場合には、開発者ごとにパソコンや専用ソフトを利用する必要がある。このため、それらの導入コストが嵩むというハード面からの問題や、パソコン操作が不得手な人にとっては敷居が高くなる点やパソコンの持ち運び、立ち上がり時間、電源確保などの煩雑であるという点などのソフト面からの問題があった。
【０００６】
また、現状の発明ノートに関しては、導入コストが嵩むというハード面の問題は生じにくいものの、記載フォーマットが特許法に基づく記載方法に準じており、いわば明細書作成者の都合に合わせて作られている。このため、特許明細書の作成に慣れていない開発者が記入するのは、発明内容のどの部分から記載していけば良いのか分からないといったソフト面での問題が依然として残っていた。
これは、現場サイドの人間である開発者にとって、発明に係る構成および効果などの、どちらかといえば明細書作成者サイドが日常業務としている仕事分野の事柄を、文書に纏めて記載することが難しいことが原因となっていた。一般的に、発明ノートの記載欄の多くは、図面などを記載するために多くを空白部分で構成されるほか、必要最低限の項目名しか記載されていない場合が多かった。したがって、発明に関する何を文章として記載していけば良いのか分からないという不都合が生じていた。
【０００７】
さて、戦略的に知的財産権を活用している企業などでは、開発者に対して開発の成果と並んで発明件数（または出願件数）のノルマを課していることも多い。しかし、前述したように、発明案出と本業である開発とは同一視できるものではなく、従来の発明ノートでは、開発とは別の作業として発明ノートへの記入が必要であった。このため、開発者には時間的にも精神的にも負担となっていることが多かった。
【０００８】
また、特許出願をするために、開発者または知財担当者から明細書作成者へと発明内容を伝達する上でも不都合が生じている。打ち合わせの際、口述の場合や充分な記載がされていない発明ノートに基づいて明細書作成者が明細書を作成する場合には、開発者の思惑と外れるおそれが常にあった。特に、中間に知財担当者を介して伝達する場合は、このずれが大きくなっていき、明細書作成を完了させることの障害となることも多かった。
【０００９】
本発明は、上記した問題点に鑑みなされたものである。すなわち、本願発明の目的は、発明内容の届け出に伴う作業を開発者にとってできるだけ容易なものとするとともに、本業である開発と記述すべき発明要件の纏め作業とをできるだけ分断しないようにし、反射的に明細書作成の担当者における明細書作成時の負担を軽減するような発明用印刷物を提供することにある。
請求項１から請求項３および請求項５に記載の発明は、発明内容の届け出に伴う作業を開発者にとってできるだけ容易なものとするとともに、明細書作成の担当者における明細書作成時の負担を軽減するような発明用印刷物を提供することを目的とする。
請求項４および請求項５に記載の発明は、本業である開発と記述すべき発明要件の纏め作業とをできるだけ分断しないような発明用印刷物を提供することを目的とする。
【課題を解決するための手段】
【００１０】
上記課題を解決するため、請求項１記載の本発明では、従来図と発明図とを対比させた図面を描くべき図面用領域と、その図面用領域に近接させ、発明内容を把握するための必須要素を記載すべき文字記入用領域とを備えた発明用印刷物に係る。すなわち、前記文字記入用領域には、縦横に隣接配置された複数の項目欄と、その項目欄の各々に対応させて必須項目のタイトルを印字されたタイトル印字部とを備え、前記複数のタイトル印字のうち、紙送り方向の下端部に寄って配置された項目欄に対応したタイトル印字部は、当該発明の誕生に伴って把握される新たな課題を記載すべきタイトルとした発明用印刷物を提供する。
【００１１】
（用語説明）
各「領域」については、枠線によって囲まれた表示によって当該領域を示したり、文字などの記載の妨げにならない色や模様によって示したりする。
「紙送り方向」は、次に説明するように、左右どちらかに開いていく方向によって異なる。「横組み」または「左開き」といわれるのは、左側に開いていく製本方法である。この場合、左側から右側へ向かってストーリーが進んでいくため、「右側のページの右下端部に位置する箇所」が該当箇所となる。一方、「縦組み」または「右開き」では、右側に開いていく製本方法であるため、「左下端部に位置する箇所」が該当箇所となる。
「必須項目」とは、例えば、従来技術の説明、本発明の構成、作動手順およびコンセプトなどである。
「新たな課題を記載すべきタイトル」とは、例えば、「本発明による新たな課題」などとして記載される。そして、この項目欄には、当該発明によって抽出された新たな課題（例えば、発明の目的であって軽量化が達成されたが耐久性とは両立できなかった場合には、  「軽量化と両立する耐久性」が新たな課題となる）が明記され、次ページ（次なる発明）への導きとしての機能も備えている。
【００１２】
（作用）
開発者においては、複数の項目欄が縦横に隣接配置されているために、各項目の順番を意識しなくても良いので、複数の欄から書きやすい欄を適宜選択して記載ことができ、書きやすくなる。また、明細書作成者においては、開発者による記載済みの発明用印刷物によって概要が把握でき、直ちに明細書作成に取りかかれることになる。このため、互いの負担が軽減されると共に、開発者と明細書作成者との間でのずれや認識不足の解消も期待できる。
また、「新たな課題を記載すべきタイトル」の項目欄には、当該発明で課題となっている箇所が記載できるため、更なる発明の創出をアシストする機能をなしている。このため、開発者に係る出願件数のノルマなどによる時間的、精神的な負担を軽減する効果が期待できる。
【００１３】
請求項２に記載の発明は、請求項１に記載の発明用印刷物を限定したものであり、
前記複数の項目欄は、二行二列に配置するとともに、各項目欄の大きさを異ならせたことを特徴とする。
例えば、従来の発明ノートでは別々に必須項目としていた「発明の目的」および「発明の効果」については、表裏一体の事柄についての表現のみが異なる事項であるので、開発者としてはどちらか一方を書けば良い場合が多い。したがって、どちらか一方に絞り込む。こうしたことにより、記載すべき必須項目が４つの項目に絞り込まれている。
【００１４】
（作用）
請求項２に記載の発明によれば、項目欄を二行二列としたことで、発明を記載する上での必要となる項目欄が絞られ、開発者の記載負担の軽減に寄与する。また、記載内容が比較的多くなりがちな項目と、少ない記載で済む場合が多い項目とでは記載欄の大きさを異ならせている。したがって、開発者の記載が容易となるため望ましい。
【００１５】
請求項３に記載の発明は、請求項１または請求項２に記載の発明用印刷物を限定したものであり、印刷可能領域の端部付近のいずれかには、発明の名称、発明者および年月日が記載された管理領域が配置されたことを特徴とする。
【００１６】
（作用）
請求項３に記載の発明によれば、管理領域が配置されることで、当該発明用印刷物の管理を容易とすることができる。例えば、発明者別および年月日別などによる分別や管理を簡易化することに寄与する。
【００１７】
請求項４に記載の発明は、発明を案出する前提である現状の問題点を記載するためのスタート欄と、そのスタート欄に近接して配置され、発明の目的を記載するためのゴール欄と、スタート欄に近接して配置され、発明を実現する上での各種の制限事項をチェックリスト方式で例示記載された制限事項欄と、制限事項欄に近接して配置され、スタート欄に記載される問題点を制限事項欄に記載される制限事項を考慮しつつ克服しうる技術的手段の創出に係る経過を発明関係者が記載するための発明経過欄とを備えた発明用印刷物を提供する。
「制限事項」とは、例えば、全長を何メートル以下にしないと運搬が困難になる、材質について金属が採用できない、といった、発明品の設計制約条件である。
【００１８】
（作用）
請求項４に記載の発明によれば、現状の問題点をスタート欄に、発明の理想となる目的をゴール欄に記載する。制限事項欄には、「コスト」，「大きさ」，「材質」などの発明を実現する上での各種の制限事項を記載する。また、発明経過欄には、スタート欄に記載される現状の問題点を克服する技術的手段の創出に係る経過を発明関係者が記載する。
このとき、スタート欄と制限事項欄とが隣接することで、現状の問題点と制限事項記載項目とが同一視野に入ることとなる。したがって、主観的になりがちな現状の問題点を同一視野にある制限事項記載項目を手がかりとして客観的に把握することが実現される。
また、発明経過欄が制限事項欄に隣接することで、制限事項欄の存在によって客観化された現状の問題点を、その記載項目単位に分類して具体的な技術課題として発明経過欄に記載することが容易に実現される。すなわち、スタート欄と発明経過欄との間に制限事項欄が配置されることにより、スタート欄に記載される現状の問題点を具体的な技術課題として発明経過欄に展開することが容易に実現される。したがって、当該発明用印刷物を用いることで、開発の初期段階からそれらを纏めて発明要件とする纏め作業を効率的に行うことが実現される。
【００１９】
請求項５に記載の発明は、発明を案出するための発明アシストページと、案出された発明のポイントを記載するための発明記載ページとを見開きで一覧可能な印刷物に係る。
すなわち、発明アシストページは、発明を案出する前提である現状の問題点を記載するためのスタート欄と、そのスタート欄に近接して配置され、発明の目的を記載するためのゴール欄と、前記スタート欄に隣接して配置され、発明を実現する上での各種の制限事項をチェックリスト方式で例示記載された制限事項欄と、前記制限事項欄に隣接して配置され、前記スタート欄に記載される問題点を克服する技術的手段の創出に係る経過を発明関係者が記載するための発明経過欄とを同一紙面上に備える。
発明記載ページは、従来図と発明図とを対比させた図面を描くべき図面用領域と、その図面用領域に近接させ、発明内容を把握するための必須要素を記載すべき文字記入用領域とを備え、前記文字記入用領域には、二行二列に隣接配置された複数の項目欄と、その項目欄の各々に対応させて必須項目のタイトルを印字されたタイトル印字部とを備え、前記複数のタイトル印字のうち、紙送り方向の下端部に寄って配置された項目欄に対応したタイトル印字部は、当該発明の誕生に伴って把握される新たな課題を記載すべきタイトルとした発明用印刷物を提供する。
なお、「同一紙面上」とは、一枚の紙面の場合の他、ノートや冊子の形式で綴じられているものの場合には見開き状態の場合も含むこととする。具体的には、図１のようなシートを一枚の紙面に印刷している場合と、図１の中央で綴じられたノートや冊子を含む。
【００２０】
（作用）
請求項５に記載の発明によれば、請求項１から請求項４に記載の発明用印刷物を見開きで一覧可能とした構成である。すなわち、発明アシストページには、開発者の本業である開発と記述すべき発明要件の纏め作業とをできるだけ分断しないようにしたページとしている。そして、発明記載ページには、発明内容の届け出に伴う作業を開発者にとってできるだけ容易なものとするとともに、明細書作成の担当者における明細書作成時の負担を軽減するページとしている。
【発明の効果】
【００２１】
請求項１から請求項３および請求項５に記載の発明によれば、発明内容の届け出に伴う作業を開発者にとってできるだけ容易なものとするとともに、明細書作成の担当者における明細書作成時の負担を軽減するような発明用印刷物を提供することができた。
請求項４および請求項５に記載の発明によれば、本業である開発と記述すべき発明要件の纏め作業とをできるだけ分断しないような発明用印刷物を提供することができた。
【発明を実施するための最良の形態】
【００２２】
以下、図面に示した本発明の実施形態に基づき、本発明をさらに詳細に説明する。ここで使用する図面は、図１から図６である。図１は、発明用印刷物の全体を示した概略図であり、図２および図４は、発明アシストページを説明するための概略図であり、図３は、発明記載ページを説明するための概略図である。図５および図６は、発明記載ページのバリエーションを示す概略図である。
【００２３】
（図１、図２）
図１は、冊子状に形成された発明用印刷物の所定ページを見開いた形態を示している。左側半分は、発明を案出するための発明アシストページと呼ばれるものであり、右側半分は、案出された発明のポイントを記載するための発明記載ページと呼ばれるものである。
発明アシストページには、発明を案出する前提である現状の問題点が記載されたスタート欄と、そのスタート欄に近接して配置され、発明の目的が記載されたゴール欄と、発明を実現する上での各種の制限事項をチェックリスト方式で例示記載された制限事項欄と、スタート欄またはゴール欄に近接させて発明関係者が記載するための発明経過欄と、発明経過欄に隣接した新規ゴール欄と、新規ゴール欄に隣接し、ページ内の最下端部に上長記入欄および知財記入欄とが同一紙面上に配置されている。
【００２４】
図２に示すように、上端部に「モヤモヤの対象」として、「発明を導く発明ノート」としている。これは発明を案出する前提であるであり、「モヤモヤ段階」としての日付を１１月１日と印字している。これらの下側に配置したスタート欄には、発明を案出する前提である現状の問題点が記載される。ここでは、「発明ノートは創出された発明を記載するのみ」としている。ゴール欄には、発明の目的が記載される。ここでは、「発明ノートに書き込んでいるうちに発明が創出される」，「発明の創出過程や創出後に生まれる次の発明の元を取りこぼさない」，「発明ノートが完成すると直ちに明細書の作成に取りかかれる」としている。
【００２５】
スタート欄およびゴール欄の下部には制限事項欄を配置している。制限事項欄には、発明を実現する上での各種の制限事項が記載される。制限事項としては、ニーズと制約条件とを設けている。ニーズでは、「誰が使う＝発明者」，「いつ使う＝発明創出時」，「どこで使う＝アイディア会議、その後のまとめ」，「何に使う＝発明アシスト」という項目を設けている。制約条件ではチェックリスト方式を採用している。ここでは、「コスト」，「製法」，「大きさ」，「強度」，「質量」，「材質」，「デザイン」，「温度」，「その他」という項目を設けており、該当する制約条件には印を付けておくことができる。
なお、スタート欄、ゴール欄および制限事項欄は、それぞれの方向を示した矢印が配置され、視覚的な認識度を向上させている。
【００２６】
制限事項欄の下部には発明経過欄を配置している。発明経過欄には、当該発明に関わる発明関係者が発明経過を記載する。ここでは、タイトルを「想定される課題と課題克服の仮説」としている。つまり、発明経過欄に発明関係者によるディスカッションなどで講じた課題や課題克服の仮説などが記載される。なお、発明関係者とは、開発者、その上司、知財担当者および明細書作成者などである。また、欄内の両端部には、縦に時系列に並べた日付欄および発明関係者がサインをするサイン欄を配置している。これは、発明創出日を確定させるためでもあり、仮説を立てたときが発明の着想の時点と設定し、その日を確認できるようにしている。
【００２７】
発明経過欄の下部には新規ゴール欄を配置している。新規ゴール欄には、発明経過欄で新たに想起された「ゴール」が記載される。課題やその課題克服の仮説などの発明経過によっては、当初ゴール欄に記載した「ゴール」とは異なる場合もある。これらの対処として、新規ゴール欄が設けられている。
また、上長記入欄には、開発者の上司に該当する者のサインが記載され、知財記入欄には、知財担当者のサインが記載される。ここでいうサインとは、一読した日時等を含むサインである。このサインをもらう際に、口頭または書き込みにより、出願の許可または不許可、開発方向のチェック、開発の壁になっている事項の突破へのヒントなどのアドバイスを受けることができるというメリットがある。
【００２８】
すなわち、上記の発明アシストページを用いることで、新たな発明が生まれるなど、開発のアシストとして機能する。そして、開発者が開発を行なっていく段階から、発明要件とする纏め作業を効率的に行なうことができる。また、本業である開発と記述すべき発明要件の纏め作業とをできるだけ分断しない効果も期待できる。
【００２９】
（図１、図３）
発明記載ページには、上半分に従来図と発明図とを対比させた図面を描くべき図面用領域とし、その図面用領域に近接させた下半分には、発明内容を把握するための必須要素を記載すべき文字記入用領域としている。図面用領域には、左側に「従来技術の図」を配置し、右側に「発明のポイント図」を配置している。各図の間には、矢印を配置して対比しているという視覚的な認識度の向上を図っている。
【００３０】
本実施形態における文字記入用領域には、二行二列に隣接配置した複数の項目欄を配置している。ここで、項目欄を二行二列としたのは、開発者が発明を記載する上での必要となる項目が絞られるため、開発者の記載が容易となるからである。項目とは、従来技術や発明の構成などのことである。もちろん、状況に応じて三行三列やそれ以上としても良い。  また、これら項目欄の各々に対応させて必須項目のタイトルを印字したタイトル印字部を備えている。図３に示した例では、左上に「従来の技術」，右上に「発明の説明、構成、作動手順」，左下に「発明のコンセプト」，右下に「本発明による新たな課題」と印字している。これらは、記載する内容によって大きさを異ならせて配置している。
【００３１】
視覚的に記載順序の束縛を受けにくいため、開発者は複数の項目欄から、現段階で記載しやすいと思えた項目欄を適宜選択して記載すれば良いため、書きやすくなる。また、明細書作成者においては、開発者によって記載済みの発明記載ページを一覧すれば、直ちに明細書作成に取りかかれることになる。このため、互いの負担が軽減されると共に、開発者と明細書作成者との間でのずれや認識不足の解消も期待できる。また、両者間に知財担当者が介在している場合などにも効果的である。
【００３２】
また、本実施形態における発明用印刷物は、一般的に「横組み」または「左開き」といわれる左側に開いていく製本方法を採用している。すなわち、「紙送り方向」は左側から右側（右側のページをめくることで進む）へ向かっていくことになる。図に示した「本発明による新たな課題」は、この「紙送り方向」の下端部に寄って配置された項目欄に対応したタイトル印字部となっており、当該発明の誕生に伴って把握される新たな課題を記載すべきタイトルとしている。この「本発明による新たな課題」を設けることにより、当該発明によって抽出された新たな課題が明記される。
【００３３】
したがって、当該発明で課題となっている箇所が記載されるため、次なる発明を創出するアシスト機能を備えることになる。このため、開発者に係る出願件数のノルマなどによる時間的、精神的な負担を軽減する効果が期待できる。
なお、「紙送り方向」が反対である「縦組み」または「右開き」においては、右側に開いていく製本方法となる。この場合は、「本発明による新たな課題」はページ左下端部に配置されることになる。
【００３４】
また、発明記載ページの印刷可能領域内には管理領域が配置されている。管理領域とは、上端部に発明者および年月日が記載され、下端部に発明の名称が記載されたものである。この管理領域が配置されることで、発明用印刷物の管理を容易とすることができる。例えば、発明者別および年月日別などに分別してデータベース化などとしておけば、後々の管理が便利となる。
【００３５】
（図４）
次に、本発明の第二実施形態を図４に基づいて説明する。図４は、発明アシストページの説明図である。本実施形態では、携帯電話メーカを例として説明していく。スタート欄に記載されるように、携帯電話メーカが当初、問題としていたのは、「携帯電話本体を軽量化したい」ことであった。したがって、ゴール欄には、高さ，幅，厚さなど「サイズを１０％以上小さくした携帯電話」を目的として開発を行っていた。そして、開発における制限事項としては、「コスト」，「大きさ」，「質量」，「材質」が挙げられていた。
【００３６】
発明経過欄には、第一実施形態でも述べたように開発していく過程が記載される。携帯電話メーカの開発者は、その後も開発を進めていたが、軽量化に伴ってサイズを小さくしていったが「サイズが小さすぎても使いにくい」という結果を導き出した。特に、携帯電話のスピーカとマイクとの間隔距離が近いと、通話中の使い勝手が悪くなってしまうという問題が生じてしまうことが判明した。
一方、持った時の感覚を同じ重量で比較すると、密度が小さければ軽く感じることで決まることが分かった。
そこで開発者は、当初のゴールを変更して「現状のサイズは変更せずに質量の軽量化を図る」ことにし、新規ゴール欄に「目標とする質量は９０ｇ以下で、且つ密度が１．０以下」に変更した。
【００３７】
上記のように、開発過程で新たな（または異なる）課題およびゴールが生まれる可能性は高い。業種によっては、その頻度が非常に大きくなる場合もある。このような時にでも、発明アシストページに開発過程の変化を記録しておくことができるため望ましい。また、本実施形態では図示しないが、図３に示すような発明記載ページに、出願用の発明要件を記載しておくことができるため、本業である開発と記述すべき発明要件の纏め作業が分断されないため望ましい。
【００３８】
（図５）
図５に示したのは、文字記入用領域を、三行三列に隣接配置した複数の項目欄を配置している。ここで、項目欄を三行三列としたのは、特許明細書の作成に慣れた開発者にとって書きやすいように、特許明細書の記載に必要な事項を細目化したものである。特許明細書の作成に慣れていない開発者には、全ての項目を埋めなければならないというプレッシャーを感じてしまうので好ましくない場合もあるが、いずれかを書き始めれば考えがまとまってくるという場合もあり、図３に示した発明記載ページとは一長一短である。
【００３９】
（図６）
図６に示したのは、図５の項目を変えることなく、用紙を横長に使用するレイアウトを採用したものである。開発者の好みや、開発分野における慣習などによっては、横長のノートの方が馴染める場合もあるからである。
【００４０】
第一，第二実施形態で述べた発明アシストページおよび発明記載ページのレイアウトは一例であり、各領域、各欄などの配置箇所は上記に限定されることはない。また、本実施形態では発明用印刷物としたが、他の利用形態にも応用可能である。例えば、営業用の提案ノートやシステム手帳などにも適用することができる。
【図面の簡単な説明】
【００４１】
【図１】本発明に係る発明用印刷物を示す概略図である。
【図２】発明アシストページを示す概略図である。
【図３】発明記載ページを示す概略図である。
【図４】第二実施形態の発明アシストページを示す概略図である。
【図５】発明記載ページを示す概略図である。
【図６】発明記載ページを示す概略図である。
【図１】
2005280268.tif 000003
【図２】
2005280268.tif 000004
【図３】
2005280268.tif 000005
【図４】
2005280268.tif 000006
【図５】
2005280268.tif 000007
【図６】
2005280268.tif 000008